(57)【要約】【課題】  先ゴムキャップが簡単に脱落しない、登山用先ゴムキャップ脱落防止ストックを提供する。【解決手段】  先端近傍部に複数の突起部３を設けたストック本体１に、内側に突起部４を設けた先ゴムキャップ２を装着する事で、先ゴムキャップ２内側の突起部４とストック本体の先端近傍部の突起部３が密着して簡単に抜けなくなり、又、先ゴムキャップ２を回す事で外すことが容易になり、使用者の先ゴムの紛失、残留ゴミの撤去費用、登山道の拡大、破壊等、環境破壊問題を解決する事が出来る。【選択図】図１
0003199596.tif 000002
【実用新案登録請求の範囲】
【請求項１】
登山用ストック本体の先端近傍部に複数の突起部を設け、内側に突起部を設けた先ゴムキャップを装着して使用する、先ゴムキャップ脱落防止登山用ストック。
【請求項２】
登山用ストック本体の先端近傍部にらせん状のネジ山を設け、内側に突起部を設けた先ゴムキャップを装着して使用する、先ゴムキャップ脱落防止登山用ストック。
【請求項３】
登山用ストック本体の先端近傍部に複数の突起部を設け、上部に環を設けた先ゴムキャップを装着して使用する、先ゴムキャップ脱落防止登山用ストック。
【請求項４】
登山用ストック本体の先端近傍部にらせん状のネジ山を設け、上部に環を設けた先ゴムキャップを装着して使用する、先ゴムキャップ脱落防止登山用ストック。
【考案の詳細な説明】
【技術分野】
【０００１】  本考案は先ゴムキャップ脱落防止登山用ストックに関する。
【背景技術】
【０００２】  登山用ストックは、本体の先端部に金属の石突が付いていて、身の安全を図る為、登山歩行中には先ゴムキャップを外すのが常識であり、それ以外は周りに危害が及ばぬよう先ゴムキャップを装着するのが通常であった。
しかし、昨今登山ブームの登山者増大により、先ゴムキャップを外して歩くと環境破壊が生じ、木道では木が削れ、その為に先ゴムキャップをつけたまま歩く事を推奨している。
その事により大量の先ゴムキャップが脱落して紛失、残留ゴミが発生している。先ゴムキャップは生ゴム、石油製品から出来ており環境破壊の深刻化の恐れが生じた。
【考案が解決しようとする課題】
【０００３】  そこで本案はストック本体から先ゴムキャップが簡単に外れにくく、なおかつ容易に外すことの出来る登山用ストックの提供を目的とする。
【課題を解決するための手段】
【０００４】  上記目的は本願考案によって、すなわち、ストック本体１の先端近傍部に複数の突起部３を設け、また、先ゴムキャップ２の内側にも突起部４を設けた先ゴムキャップ脱落防止ストック１によって、先ゴムキャップ２の脱落防止を達成する事が出来る。
【０００５】  上記同様、本体１の先端近傍部にらせん状ネジ山８を設け、また、先ゴムキャップの内側にも突起部４を設けた先ゴムキャップ脱落防止ストック１によって、先ゴムキャップ２の脱落防止を達成する事が出来る。
【０００６】  同じく、本体１の先端近傍部に複数の突起部３を設け、また、先ゴムキャップ６の上部に環７を設けた先ゴムキャップ脱落防止ストック１によって環付き先ゴムキャップ６の脱落防止を達成する事が出来る。
【０００７】  同じく、本体１の先端近傍部にらせん状ネジ山８を設け、先ゴムキャップ６の上部に環７を設けた先ゴムキャップ脱落防止ストック１によって環付き先ゴムキャップ６の脱落防止を達成する事が出来る。
【考案の効果】
【０００８】  本考案の登山用ストックは上記の通りであり、ストック本体１の先端近傍部に複数の突起部３やらせん状ネジ山８を設け、内側に突起部４設けた先ゴムキャップ２をストック本体１の先端近傍部の突起部３やらせん状ネジ山８まで覆う。又、同じくストック本体１の先端近傍部に複数の突起部３やらせん状ネジ山８を設け、上部に環７を設けた先ゴムキャップ６をストック本体１の先端近傍部の突起部３やらせん状ネジ山の上まで覆う。
ストック本体１の先端近傍部の突起部３と先ゴムキャップ２内側の突起部４が密着して引っ張っても簡単に抜けなくなる。又、環つき先ゴムキャップ６の環７をストック本体１の先端近傍に通し、ストック本体１の先端近傍部の突起部３の上まで覆って使用する状態になっている。
環つき先ゴムキャップ６の環７の内径はストック本体１の突起部３の外径と同じか、少し小さい径の為、環付き先ゴムキャップ６が外れようとする時、環７が引っ張られ径が楕円になり、環付き先ゴムキャップ６が外れにくく、又、環を楕円から円に戻す事で環付き先ゴムキャップを容易に外すことが出来る。
使用者の先ゴムの紛失、残留ゴミの撤去費用、登山道の拡大、破壊等環境破壊問題を解決する事が出来る。
【図面の簡単な説明】
【０００９】
【図１】先ゴムキャップ脱落防止ストックの本体の断面図である。
【図２】先ゴムキャップの断面図である。
【図３】要部拡大断面図である。
【図４】先ゴムキャップ脱落防止ストックの本体の断面図である。
【図５】先ゴムキャップの断面図である。
【図６】要部拡大断面図である。
【図７】環付き先ゴムキャップ脱落防止ストックの本体の断面図である。
【図８】環付き先ゴムキャップの断面図である。
【図９】要部拡大断面図である。
【考案を実施するための形態】
【０００１０】  ストック本体の先端近傍部に複数の突起部あるいはネジ山を設け、又、先ゴムキャップの内側にも突起部あるいは先ゴムキャップの上部に環を設け、先ゴムキャップの内側の突起部をストック本体の先端近傍部の突起部の上まで覆う事で、密着して引っ張っても簡単に抜けなくなり、又、先ゴムキャップを回す事や、環を元の状態に戻す事で外す事が容易になる。
【実施例１】
【００１１】  以下、図示した本考案の実施例１について説明する。まず、図１は先ゴムキャップ脱落防止ストックの使用する状態を示したものである。符号１がストック本体でありそのストック本体１の先端近傍部に突起部３と先端部に石突５を有する。
図２は内側に突起部４を設けた先ゴムキャップ２である。図３のように先ゴムキャップ２の内側の突起部４をストック本体１の先端近傍部の突起部３の上まで覆って使用する状態になっている。
その事により、ストック本体１の先端近傍部の突起部３と先ゴムキャップ２内側の突起部４が密着して引っ張っても簡単に抜けなくなり、又、先ゴムキャップ２を回す事で容易に外すことができる。
【実施例２】
【００１２】  次に本考案の実施例２について説明する。図４は先ゴムキャップの脱落防止ストック使用する状態を示したものである。符号１がストック本体でありそのストック本体１の先端近傍部にらせん状のネジ山８と石突５を有する。図５は内側に突起部４を設けた先ゴムキャップ２である。図６のように先ゴムキャップ２を先端近傍部のらせん状ネジ山８に沿って回す事で、内側の突起部４をストック本体１の先端近傍部のらせん状ネジ山８の上まで覆って使用する状態になっている。
その事により、ストック本体の先端近傍部の突起部３と先ゴムキャップ２内側の突起部４が密着して引っ張っても簡単に抜けなくなる。先ゴムキャップ２を先端近傍部のらせん状ネジ山８に沿って回す事で実施例１より、容易に付けたり、外すことが出来る。
【実施例３】
【００１３】  さらに、実施例３について説明する。図７は同じく、先ゴムキャップ脱落防止ストックの使用する状態を示したものである。符号１がストック本体でありその先端近傍部に突起部３と先端部に石突５を有する。図８はストック本体１の突起部３の外径と同じか、少し小さい内径の環７をつけた環付き先ゴムキャップ６である。図９のように環つき先ゴムキャップ６の環７をストック本体１の先端近傍部に通し、環付き先ゴムキャップ６をストック本体１の先端近傍部の突起部３の上まで覆って使用する状態になっている。
尚、実施例２のらせん状ネジ山８を有するストック本体１に環付き先ゴムキャップ６を取り付けてもよい。
環付き先ゴムキャップ６が外れようとする時、環７が引っ張られ径が楕円になり、環付き先ゴムキャップ６は外れにくく、又、環を楕円から円に戻す事で環付き先ゴムキャップを容易に外すことが出来る。
【符号の説明】１  ストック本体
２  先ゴムキャップ
３  本体先端近傍部の突起部
４  先ゴム内部の突起部
５  石突
６  環付き先ゴムキャップ
７  先ゴムキャップの環
８  本体先端近傍部のらせん状ネジ山
【図１】
0003199596.tif 000003
【図２】
0003199596.tif 000004
【図３】
0003199596.tif 000005
【図４】
0003199596.tif 000006
【図５】
0003199596.tif 000007
【図６】
0003199596.tif 000008
【図７】
0003199596.tif 000009
【図８】
0003199596.tif 000010
【図９】
0003199596.tif 000011